(57)【特許請求の範囲】
【請求項１】
球を加工する球体研磨装置に備えられる高精度球体寸法測定装置であって、
前記球体研磨装置において加工途中の被測定球および標準球のそれぞれについて、直径に特定の固定値が加算された直径パラメータを測定する球体寸法測定部と、
前記球体寸法測定部にて測定される前記被測定球の直径パラメータと前記標準球の直径パラメータとの差分を、前記被測定球の直径と前記標準球の直径との寸法差として求める寸法差算出部と、
前記寸法差を閾値と比較し、前記被測定球の直径が目標値に到達したか否かを判定する判定部とを有しており、
前記球体寸法測定部は、測定前の前記被測定球を洗浄油にて洗浄する洗浄部を備えており、かつ、前記被測定球および前記標準球の測定を前記洗浄油中にて行うことで、前記被測定球と前記標準球とを同一環境で測定し、球の膨張・収縮が測定精度に及ぼす悪影響を排除することを特徴とする高精度球体寸法測定装置。
【請求項２】
請求項１に記載の高精度球体寸法測定装置であって、
前記球体寸法測定部は、前記被測定球を台座上で往復運動させて転がすことにより、球の姿勢を変更しながら前記被測定球の複数箇所の直径を測定することを特徴とする高精度球体寸法測定装置。
【請求項３】
球体の研磨を行う研磨部と、前記研磨部での研磨を終えた球を搬送して再び研磨部に供給するコンベアとを備えている球体研磨装置であって、
請求項１または２に記載の高精度球体寸法測定装置を備えており、前記高精度球体寸法測定装置は、前記コンベアから前記被測定球を取り出すものであることを特徴とする球体研磨装置。
【請求項４】
請求項３に記載の球体研磨装置であって、
前記高精度球体寸法測定装置での判定結果を受けて、前記研磨部の動作を制御する研磨制御部を有しており、
前記判定部は、前記寸法差算出部により算出される寸法差を、第１閾値と、第１閾値よりも大きい第２閾値と比較するものであり、
前記研磨制御部は、前記寸法差が第２閾値に到達したと判定された時点で前記研磨部の動作を粗加工から仕上げ加工に移行させ、前記寸法差が第１閾値に到達したと判定された時点で前記研磨部での加工を終了させることを特徴とする球体研磨装置。
【発明の詳細な説明】
【技術分野】
【０００１】
本発明は、球の加工装置に具備される高精度球体寸法測定装置およびこれを備えた球体研磨装置に関する。
【背景技術】
【０００２】
玉軸受等に使用される鋼球およびセラミック球等の球体は、球体研磨装置によって製造される。また、球体研磨装置は、球の寸法を測定する球体寸法測定装置を備えており、加工途中の一部の球体を被測定球体として抜き出し、その寸法を球体寸法測定装置にて測定する。球体研磨装置の加工動作は、測定した球体直径に応じて制御される。例えば、特許文献１には、被測定球体の直径が所定値に達するまでは効率重視の加工を行い、被測定球体の直径が所定値に達した後は品質重視の加工を行うことが開示されている。
【０００３】
また、特許文献２では、球体寸法測定装置に被測定球体の姿勢を変更する姿勢変更手段を設け、複数箇所の測定値から平均直径を算出して測定精度を向上させることの開示がある。
【先行技術文献】
【特許文献】
【０００４】
【特許文献１】実開平６−５８５８号公報
【特許文献２】特許第５７６８４８５号公報
【発明の概要】
【発明が解決しようとする課題】
【０００５】
特許文献２の球体寸法測定装置は、被測定球体の直径の実寸法を測定している。しかしながら、加工される球体は研磨で生じる熱等によって温度変化し、加工作業の開始から終了までの全期間において被測定球体の温度を一定に保つことは難しい。被測定球体の温度が変化するとその寸法も変化するため、被測定球体の実寸法を測定する方法では、測定タイミングによって測定精度のばらつきが生じるといった問題がある。また、測定力を加えて実寸法を測定する方法では、測定力及び鋼球の質量による弾性変形が生じるため、この弾性変形の影響を排除して測定精度を向上させるには補正計算が必要となる（ＪＩＳ Ｂ１５０１−２００９  付属書ＪＢの内容）。しかしながら、このような補正計算は、極めて煩雑な計算を必要とする上、精度の向上にも限界がある。測定精度のばらつきは、当然ながら最終製品の寸法精度に悪影響を及ぼす。
【０００６】
本発明は、上記課題に鑑みてなされたものであり、測定精度のばらつきを抑制できる高精度球体寸法測定装置および球体研磨装置を提供することを目的とする。
【課題を解決するための手段】
【０００７】
上記の課題を解決するために、本発明は、球を加工する球体研磨装置に備えられる高精度球体寸法測定装置であって、前記球体研磨装置において加工途中の被測定球の直径と、前記被測定球と同じ材質、かつ、前記被測定球の目標直径を有する標準球の直径との寸法差を求める寸法差算出部と、前記寸法差を閾値と比較し、前記被測定球の直径が目標値に到達したか否かを判定する判定部とを有していることを特徴としている。
【０００８】
上記の構成によれば、標準球は、被測定球と同じ材質、かつ、被測定球の目標直径を有するものが使用される。このため、被測定球および標準球の測定値から算出される寸法差においては、弾性変形が測定精度に及ぼす悪影響を排除できる。さらに、被測定球と標準球とが同一環境で測定が行われることで、球の膨張・収縮が測定精度に及ぼす悪影響も排除できる。これにより、前記高精度球体寸法測定装置は、研磨作業の開始から終了までの全期間においてばらつきのない高精度測定を行うことが可能となる。
【０００９】
また、前記高精度球体寸法測定装置は、前記被測定球および前記標準球のそれぞれについて、直径に特定の固定値が加算された直径パラメータを測定する球体寸法測定部を有しており、前記寸法差算出部は、前記球体寸法測定部にて測定される前記被測定球の直径パラメータと前記標準球の直径パラメータとの差分を、前記寸法差として算出する構成とすることができる。
【００１０】
上記の構成によれば、被測定球の直径と標準球の直径との寸法差を求めるにあたり、被測定球および標準球の直径自体を測定する必要は無く、測定に用いるセンサの精密な調整作業等は不要となるため、簡易な測定手法を用いることができる。
【００１１】
また、前記高精度球体寸法測定装置では、前記球体寸法測定部は、測定前の前記被測定球を洗浄油にて洗浄する洗浄部を備えており、かつ、前記被測定球および前記標準球の測定を前記洗浄油中にて行うことで、前記被測定球と前記標準球とを同一環境で測定し、球の膨張・収縮が測定精度に及ぼす悪影響を排除する構成とすることができる。
【００１２】
上記の構成によれば、加工途中の被測定球が測定前に洗浄油によって冷却され、被測定球および標準球とを同一環境（例えば、同一の温度）にして測定を行うことができる。これにより、球の膨張・収縮が測定精度に及ぼす悪影響をより排除でき、さらに高精度測定を行うことが可能となる。
【００１３】
また、前記高精度球体寸法測定装置では、前記球体寸法測定部は、前記被測定球を台座上で往復運動させて転がすことにより、球の姿勢を変更しながら前記被測定球の複数箇所の直径を測定する構成とすることができる。
【００１４】
上記の構成によれば、被測定球の姿勢の変更を、前記被測定球を台座上で往復運動させて転がすことで行われる。このため、被測定球の姿勢の変更する手段は、被測定球を台座上で一方向に往復運動させる構成（例えば、直線アクチュエータ）のみでよく、被測定球の姿勢変更を簡易な構成で行うことが可能となる。
【００１５】
また、本発明の球体研磨装置は、球体の研磨を行う研磨部と、前記研磨部での研磨を終えた球を搬送して再び研磨部に供給するコンベアとを備えている球体研磨装置であって、上記記載の高精度球体寸法測定装置を備えており、前記高精度球体寸法測定装置は、前記コンベアから前記被測定球を取り出すものであることを特徴としている。
【００１６】
上記の構成によれば、球体研磨装置における研磨作業の開始から終了までの全期間においてばらつきのない高精度測定を行うことが可能となる。
【００１７】
また、前記球体研磨装置では、前記高精度球体寸法測定装置での判定結果を受けて、前記研磨部の動作を制御する研磨制御部を有しており、前記判定部は、前記寸法差算出部により算出される寸法差を、第一閾値と、第一閾値よりも大きい第二閾値と比較するものであり、前記研磨制御部は、前記寸法差が第二閾値に到達したと判定された時点で前記研磨部の動作を粗加工から仕上げ加工に移行させ、前記寸法差が第一閾値に到達したと判定された時点で前記研磨部での加工を終了させる構成とすることができる。
【発明の効果】
【００１８】
本発明の高精度球体寸法測定装置および球体研磨装置は、被測定球の直径と標準球の直径との寸法差を閾値と比較して、被測定球の直径が目標値に到達したか否かを判定する。標準球は、被測定球と同じ材質、かつ、被測定球の目標直径を有するものが使用される。このため、被測定球および標準球の測定値（直径）から算出される寸法差においては、弾性変形が測定精度に及ぼす悪影響を排除できる。さらに、被測定球と標準球とが同一環境で測定が行われることで、球の膨張・収縮が測定精度に及ぼす悪影響も排除できる。これにより、研磨作業の開始から終了までの全期間においてばらつきのない高精度測定を行うことが可能となるといった効果を奏する。
【図面の簡単な説明】
【００１９】
【図１】本発明の一実施形態を示すものであり、球体研磨装置の概略構成を示す斜視図である。
【図２】球体研磨装置に備えられる球体寸法測定部の概略構成を示す正面図である。
【図３】球体研磨装置に備えられる測定制御部の概略構成を示すブロック図である。
【図４】球体寸法測定部による直径パラメータの測定の具体例を示す図である。
【図５】球体研磨装置による加工曲線を示すグラフである。
【発明を実施するための形態】
【００２０】
以下、本発明の実施の形態について、図面を参照して詳細に説明する。先ずは、本発明が適用される球体研磨装置の概略構成について図１を参照して説明する。
【００２１】
図１に示す球体研磨装置１０は、研磨部１１、コンベア１２、供給シュート１３、排出シュート１４、球体寸法測定部１５、測定制御部１６、研磨制御部１７、および操作部１８を具備している。
【００２２】
研磨部１１は、固定盤１１１および回転盤１１２を備えている。これら両盤は、対向面にボールが転がる複数の溝を同心円状に同数有する砥石が装着されている。回転盤１１２の回転軸方向に沿って圧力をかけながら回転盤１１２を所定方向（図中矢印Ｒ１方向）に回転させることで、両盤の溝の間を球（例えば、鋼球やセラミック球）Ｂが移動し、この移動の間に球Ｂが砥石によって研磨加工される。
【００２３】
コンベア１２は、供給シュート１３および排出シュート１４を介して研磨部１１に接続されている。すなわち、研磨部１１で研磨される球Ｂは、コンベア１２から供給シュート１３を介して研磨部１１に供給される。研磨部１１での研磨を終えた球Ｂは、研磨部１１から排出シュート１４を介してコンベア１２に戻される。コンベア１２は、研磨部１１から戻された球Ｂを再び研磨部１１に供給するために、内側輪１２１および底板を所定方向（図中矢印Ｒ２方向）に回転させて球Ｂの搬送を行う。
【００２４】
また、固定盤１１１には切り欠き部１１１ａが設けられており、この切り欠き部１１１ａに供給シュート１３および排出シュート１４が連設されている。
【００２５】
球体研磨装置１０では、球Ｂはコンベア１２によって繰り返し研磨部１１に供給され、繰り返し研磨を受ける。そして、この繰り返し研磨によって球Ｂの寸法（直径）が目標値に到達した時点で研磨加工を終了するようになっている。また、研磨終了の目標値を第１目標値とし、球Ｂの寸法が第２目標値（＞第１目標値）に到達するまでは加工効率を重視した粗加工とし、球Ｂの寸法が第２目標値に到達した後は加工品質を重視した仕上げ加工としてもよい。仕上げ加工は、粗加工時に比べ、回転盤１１２にかける圧力や回転盤１１２の回転速度を小さくすることで実施できる。
【００２６】
球体寸法測定部１５は、コンベア１２の外側輪１２２に取り付けられ、排出シュート１４の下流（球Ｂの搬送方向下流）付近に配置されている。球体寸法測定部１５は、研磨加工中の球Ｂの寸法を測定するものであり、研磨部１１からコンベア１２に戻された球Ｂの中から測定サンプルとなる被測定球Ｂ１（図２参照）をピックアップし、その直径を測定する。測定制御部１６は、球体寸法測定部１５の動作を制御したり、球体寸法測定部１５での測定結果に関する判定を行う。
【００２７】
研磨制御部１７は、測定制御部１６での判定結果を受けて、研磨部１１の動作を制御する。操作部１８は、例えばタッチパネルにより、球体寸法測定部１５による測定結果を表示したり、オペレータの入力による各種条件設定を行う。
【００２８】
これより、本発明の特徴部分である高精度球体寸法測定装置について、図面を参照して詳細に説明する。本実施の形態では、球体寸法測定部１５および測定制御部１６によって本発明の高精度球体寸法測定装置が構成されている。図２は、球体寸法測定部１５の概略構成を示す正面図である。図３は、測定制御部１６の概略構成を示すブロック図である。
【００２９】
球体寸法測定部１５は、図２に示すように、測定槽１５１、台座１５２、保持具１５３、接触式変位センサ（以後、単にセンサと称する）１５４、搬入通路１５５および排出通路１５６を具備している。
【００３０】
球体寸法測定部１５にて測定される被測定球Ｂ１は、図示しないピックアップ部によってコンベア１２から一つ抜き取られ、搬入通路１５５を介して測定槽１５１の内部へ送られる。搬入通路１５５には洗浄部１５７が備えられており、被測定球Ｂ１は洗浄油によるシャワー洗浄によって球表面の研磨カスやゴミが取り除かれる。また、コンベア１２から抜き取られた加工中の被測定球Ｂ１は研磨熱によって高温となっているが、洗浄油によって冷却される。
【００３１】
測定槽１５１の内部には、台座１５２、保持具１５３およびセンサ１５４が配置されている。台座１５２は、水平な載置面を有しており、被測定球Ｂ１および標準球Ｂ２をその上に載置するものである。保持具１５３は、直進アクチュエータ（図示せず）により、台座１５２の上で被測定球Ｂ１および標準球Ｂ２を保持しながら水平方向の一方向（図中矢印Ｌ１方向）にスライド移動可能となっている。センサ１５４は、台座１５２の上で被測定球Ｂ１および標準球Ｂ２の直径に関する寸法パラメータ（以下、直径パラメータと称する）を測定する。尚、ここでの直径パラメータとは、直径に特定の固定値が加算された数値を意味するが、直径そのものも直径パラメータに含まれる（上記固定値が０の場合）。
【００３２】
保持具１５３は、２つの保持孔、すなわち被測定球Ｂ１用の保持孔１５３ａと標準球Ｂ２用の保持孔１５３ｂを有しており、これら保持孔の内側で被測定球Ｂ１および標準球Ｂ２を保持するようになっている。保持孔１５３ａおよび１５３ｂは、被測定球Ｂ１および標準球Ｂ２の直径よりも一回りサイズの大きい円形孔である。測定槽１５１へ送られる被測定球Ｂ１は、搬入通路１５５から保持孔１５３ａ内部へ落される。標準球Ｂ２は、保持孔１５３ｂに予め保持されている。また、測定槽１５１には、被測定球Ｂ１および標準球Ｂ２が完全に浸かる位置まで洗浄油が満たされている。標準球Ｂ２は、被測定球Ｂ１と同じ材質、かつ、その直径が被測定球Ｂ１の目標値（目標直径）と同じであり、高精度に加工済のものが使用される。具体的には、標準球Ｂ２は、既に加工済の球Ｂに対してＪＩＳ０級のブロックゲージとの比較測定を行い、特に加工精度の高いものを選択して標準球Ｂ２として使用する。また、洗浄油は、球表面から取り除かれた研磨カスを例えば濾過等によって除去しながら、循環して使用される。
【００３３】
被測定球Ｂ１および標準球Ｂ２は、保持具１５３がスライドすることによって同時に転がり、センサ１５４の直下に順々に送られる。センサ１５４は、直下に送られてきた被測定球Ｂ１および標準球Ｂ２のそれぞれの直径パラメータを測定し、その測定値を測定制御部１６へ出力する。測定制御部１６は、被測定球Ｂ１および標準球Ｂ２のそれぞれの直径パラメータから、その差分を寸法差として算出し、記録することができる。ここで、直径パラメータは直径に特定の固定値が加算された数値であるため、被測定球Ｂ１および標準球Ｂ２のそれぞれの直径パラメータの差分は、上記固定値が相殺されて、被測定球Ｂ１および標準球Ｂ２の直径の寸法差となる。
【００３４】
ここで、球体寸法測定部１５による直径パラメータの測定の具体例を図４を参照して説明する。図４は、左から順に、センサ１５４における待機状態、標準球Ｂ２測定時、被測定球Ｂ１測定時の状態を示している。尚、図４では、説明の便宜上、上記３つの状態を並べて記載しているが、実際には被測定球Ｂ１および標準球Ｂ２の測定は被測定球Ｂ１および標準球Ｂ２をセンサ１５４の直下に移動させて行う。すなわち、上記３つの状態は台座１５２上の同一箇所を示している。
【００３５】
センサ１５４の待機状態では、センサ１５４の接触部先端は台座１５２の載置面（水平面）から距離Ｌ１だけ離れた状態となっている。また、このときのセンサ１５４の出力値は０である。そして、標準球Ｂ２測定時および被測定球Ｂ１測定時では、センサ１５４は移動距離Ｌ２（＜Ｌ１）だけ鉛直方向に下降する。
【００３６】
ここで、被測定球Ｂ１および標準球Ｂ２のそれぞれの直径をＤ１，Ｄ２とする。また、被測定球Ｂ１測定時および標準球Ｂ２測定時の、センサ変位量（センサ１５４の出力値）をｄ１，ｄ２とする。この時、被測定球Ｂ１測定時のセンサ変位量ｄ１は、
ｄ１＝Ｄ１−（Ｌ１−Ｌ２）＝Ｄ１＋（Ｌ２−Ｌ１）
であり、標準球Ｂ２測定時のセンサ変位量ｄ２は、
ｄ２＝Ｄ２−（Ｌ１−Ｌ２）＝Ｄ２＋（Ｌ２−Ｌ１）
である。すなわち、センサ変位量ｄ１，ｄ２は、被測定球Ｂ１および標準球Ｂ２の直径Ｄ１，Ｄ２に固定値（Ｌ２−Ｌ１）が加算された数値となるため、センサ変位量ｄ１，ｄ２が上述の直径パラメータとなる。球体寸法測定部１５では、このようにしてセンサ変位量ｄ１，ｄ２を測定するにあたって、センサ１５４の精密な調整作業等は不要であり、容易に直径パラメータを求めることができる。
【００３７】
球体寸法測定部１５では、保持具１５３を複数回往復運動させることで、被測定球Ｂ１の姿勢を変えながら、被測定球Ｂ１の異なる箇所の直径パラメータを測定することができる。すなわち、被測定球Ｂ１は、一回りサイズの大きい保持孔１５３ａによって保持されているため、保持具１５３のスライドに伴って転がるときに完全に直線移動することはなく、保持具１５３の往復運動のたびにその姿勢を変えることとなる。このように、被測定球Ｂ１の姿勢を変えながら複数回の測定を行うことにより、直径不同（１個の球体の直径の最大値と最小値との差）の測定が行われる。また、本実施の形態に係る高精度球体寸法測定装置は、ロットの直径の相互差（ロット内の最大球体の平均直径と最小球体の平均直径との差）を求めることも可能である。
【００３８】
被測定球Ｂ１の測定が終了すると、保持具１５３が所定位置まで移動し、被測定球Ｂ１を台座１５２の上面から排出通路１５６へ落す。排出通路１５６に落された被測定球Ｂ１は、再びコンベア１２へ戻される。
【００３９】
続いて、測定制御部１６での処理について説明する。測定制御部１６は、図３に示すように、寸法差算出部１６１および判定部１６２を備えている。寸法差算出部１６１には、球体寸法測定部１５での測定値、すなわち、測定された被測定球Ｂ１および標準球Ｂ２の直径パラメータが入力される。寸法差算出部１６１は、入力された測定値よりその差分を被測定球Ｂ１および標準球Ｂ２の直径の寸法差として算出する。図４に示す例では、被測定球Ｂ１および標準球Ｂ２の直径パラメータとして、センサ変位量ｄ１，ｄ２が入力され、その差分は、
ｄ１−ｄ２＝Ｄ１＋（Ｌ２−Ｌ１）−（Ｄ２＋（Ｌ２−Ｌ１））
＝Ｄ１−Ｄ２＝Ｘ
となる。すなわち、図４に示す被測定球Ｂ１および標準球Ｂ２の直径の寸法差Ｘは、センサ変位量ｄ１，ｄ２の差分によって求められる。ここで、センサ変位量ｄ１，ｄ２は、一回の測定で得られる数値でなくてもよく、例えば、被測定球Ｂ１または標準球Ｂ２の姿勢を変えながら複数回の測定を行った場合の平均値であっても良い。
【００４０】
算出された寸法差は判定部１６２に入力されて、所定の閾値と比較・判定される。判定部１６２で使用される閾値は、少なくとも、研磨部１１での研磨加工を終了するため第１閾値ＴＨ１（図４参照）を用いる。また、研磨部１１での研磨加工を粗加工から仕上げ加工に切り替えるための第２閾値ＴＨ２（図４参照）を併せて用いても良い。第１閾値ＴＨ１および／または第２閾値ＴＨ２は、操作部１８からオペレータが設定入力することが可能であり、測定制御部１６内の図示しないメモリに記憶されて上記判定に用いられる。
【００４１】
判定部１６２において上記寸法差が上記閾値に到達したことが判定されると、その判定結果が研磨制御部１７へ送られる。研磨制御部１７は、上記判定結果を受けて研磨部１１の動作を制御する。具体的には、上記寸法差が第２閾値ＴＨ２に到達した場合は、研磨部１１での研磨加工を粗加工から仕上げ加工に切り替える。また、上記寸法差が第１閾値ＴＨ１に到達した場合は、研磨部１１での研磨加工を終了する。
【００４２】
本実施の形態に係る高精度球体寸法測定装置では、球体寸法測定部１５において、標準球Ｂ２は、被測定球Ｂ１と同じ材質、かつ、被測定球Ｂ１の目標直径を有するものが使用される。このため、被測定球Ｂ１および標準球Ｂ２の測定値（直径）から算出される寸法差においては、弾性変形が測定精度に及ぼす悪影響を排除できる。さらに、被測定球Ｂ１と標準球Ｂ２とは洗浄油中で同一温度にされた状態で測定が行われる。このため、上記寸法差においては、球Ｂの膨張・収縮が測定精度に及ぼす悪影響も排除できる。これらの特徴により、本実施の形態に係る高精度球体寸法測定装置は、研磨作業の開始から終了までの全期間においてばらつきのない高精度測定を行うことが可能となる。
【００４３】
また、球体寸法測定部１５では、被測定球Ｂ１の姿勢の変更を、保持具１５３の往復運動のみで行うことが可能である。このため、被測定球Ｂ１の姿勢変更を簡易な構成で行うことが可能である。
【００４４】
続いて、球体研磨装置１０を用いた１ロット分の加工の流れについて説明する。図５は、球体研磨装置１０による加工曲線を示すグラフである。以下の説明では、予め設定した寸法差閾値と加工時間とを元に加工が進み、寸法差が第２閾値ＴＨ２に到達すると粗加工から仕上げ加工に移行し、第１閾値ＴＨ１に到達すると加工を終了する場合を例示する。
【００４５】
球体寸法測定部１５での測定の１球目は素球寸法測定とし、加工前の球Ｂの寸法を測定する。素球寸法と予め設定した加工時間を元に理想的な加工曲線（以後、理想曲線と称する）が作成される。
【００４６】
以降は、予め設定した測定インターバルで定期的に測定を実施する。また、理想曲線と実際の測定値に基づく加工曲線とがかけ離れた値とならないように監視を行ないながら加工を実施する。
【００４７】
被測定球Ｂ１と標準球Ｂ２との寸法差が第２閾値ＴＨ２に到達すると、測定制御部１６から研磨制御部１７へ信号が出力され、粗加工から仕上げ加工に移行する。仕上げ加工に入った後、暫くは予め設定した測定インターバルで定期的に測定を実施する。そして、完了寸法に近づくと（例えば、仕上げ加工に入ってから所定時間が経過すると）、測定インターバルを小さくして過研磨を防止する。
【００４８】
被測定球Ｂ１と標準球Ｂ２との寸法差が第１閾値ＴＨ１に到達すると、球Ｂの寸法（直径）が目標値に到達したと見なされ、測定制御部１６から研磨制御部１７へ信号が出力され、球体研磨装置１０の動作が停止されて該ロットの加工が終了する。
【００４９】
今回開示した実施形態はすべての点で例示であって、限定的な解釈の根拠となるものではない。従って、本発明の技術的範囲は、上記した実施形態のみによって解釈されるものではなく、特許請求の範囲の記載に基づいて画定される。また、特許請求の範囲と均等の意味及び範囲内でのすべての変更が含まれる。
【符号の説明】
【００５０】
１０    球体研磨装置
１１    研磨部
１２    コンベア
１３    供給シュート
１４    排出シュート
１５    球体寸法測定部
１５１    測定槽
１５２    台座
１５３    保持具
１５４    接触式変位センサ
１５５    搬入通路
１５６    排出通路
１５７    洗浄部
１６    測定制御部
１６１    寸法差算出部
１６２    判定部
１７    研磨制御部
１８    操作部
Ｂ１    被測定球
Ｂ２    標準球
ＴＨ１    第１閾値
ＴＨ２    第２閾値
【要約】
【課題】測定精度のばらつきを抑制できる高精度球体寸法測定装置および球体研磨装置を提供する。
【解決手段】球体寸法測定部１５で、加工途中の被測定球と、前記被測定球と同じ材質、かつ、前記被測定球の目標直径を有する標準球との直径をそれぞれ測定する。寸法差算出部１６１は、被測定球の直径と標準球の直径との寸法差を求める。判定部１６２は、求められた寸法差を閾値と比較し、被測定球の直径が目標値に到達したか否かを判定する。
【選択図】図３【図１】
0005941236.tif 000002
【図２】
0005941236.tif 000003
【図３】
0005941236.tif 000004
【図４】
0005941236.tif 000005
【図５】
0005941236.tif 000006